(57)【要約】    【課題】  構造が複雑で高価。    【構成】  内部にエンジン４の回転を駆動走行車輪６に伝達する伝動機構を内蔵した伝動ケース２に、前記エンジン４および一対の駆動走行車輪６を設け、前記伝動ケース２に取付けたフレーム兼用サイドカバー１６に高さ調節自在の一対の捨て刈り案内輪４６を設け、前記フレーム兼用サイドカバー１６には一対の円形回転刃２５、２６を設け、該一方円形回転刃２５と他方円形回転刃２６は夫々の内側縁が互いに上下に重なるように配置すると共に互いに内側に向けて回転するようにし、前記駆動走行車輪６を略前後の重心位置に配置したにら捨て刈り機。【選択図】    図１
2005143309.tif 000002
【特許請求の範囲】
【請求項１】
内部にエンジン４の回転を駆動走行車輪６に伝達する伝動機構を内蔵した伝動ケース２に、前記エンジン４および一対の駆動走行車輪６を設け、前記伝動ケース２に取付けたフレーム兼用サイドカバー１６に高さ調節自在の一対の捨て刈り案内輪４６を設け、前記フレーム兼用サイドカバー１６には一対の円形回転刃２５、２６を設け、該一方円形回転刃２５と他方円形回転刃２６は夫々の内側縁が互いに上下に重なるように配置すると共に互いに内側に向けて回転するようにし、前記駆動走行車輪６を略前後の重心位置に配置したにら捨て刈り機。
【請求項２】
請求項１において、前記円形回転刃２５および円形回転刃２６は縦の縦伝動ケース２０、縦伝動ケース２１に軸装した回転軸２２、回転軸２３の下部に設け、前記縦伝動ケース２０、縦伝動ケース２１より上方に突出する回転軸２２、回転軸２３に前記エンジン４の回転を伝達するように構成したにら捨て刈り機。
【請求項３】
請求項１または請求項２において、前記円形回転刃２５および円形回転刃２６の上方には、圃場の「にら」を分草して円形回転刃２５および円形回転刃２６まで案内する一対の分草兼案内ガイド３０を設けたにら捨て刈り機。
【発明の詳細な説明】
【技術分野】
【０００１】
本発明は、にらの捨て刈り専用機に係るものである。
【背景技術】
【０００２】
「にら」は、播種して育苗し、所定の大きさに育苗すると、ハウス内の圃場に移植し、移植した「にら」が括着すると、一旦、圃場の全ての「にら」の葉の部分を根本の際から切断し、その後の太く良好な葉に成育させて収穫する。
この収穫前に一旦茎葉を切断して捨てることを当業者は「捨て刈り」と称し、高品質の「にら」を得るために行っている。
この捨て刈り作業は、従来鎌による手作業で行っていた。
しかして、軸棒形状の伝動ケースの基部にエンジンを設け、伝動ケースの先端に円形の円形回転刃を設けた刈り払い機は、草刈り等に使用されている（特許文献１参照）。
また、前輪と後輪の間に回転するモア配置した四輪の草刈り機も公知である（特許文献２参照）。
また、従来、前後方向に長い機体フレームに最前方位置に圃場のホウレンソウ、春菊等の葉菜を分草する左右一対の分草体を設け、該分草体の後側に前記葉菜を直立状態で挟持搬送する搬送装置を設け、該搬送装置の始端部下方位置に不動の水平板状の根切断刃を設け、前記搬送装置の終端は前記機体フレームの前後中間位置に設けた駆動式走行車輪より上方に位置させた葉菜収穫装置は公知である（特許文献３参照）。
【特許文献１】特開２００１−３４６４２８号公報
【特許文献２】特開２００２−２３８３２４号公報
【特許文献３】特開平９−３０８３５３号公報
【発明の開示】
【発明が解決しようとする課題】
【０００３】
前記公知例のうち、鎌による手作業では、作業姿勢が悪く、作業効率が悪いという課題がある。
しかし、「にら」は直に折れ曲がって軟弱でありながら、容易に切断しにくいことから、機械化が送れ、手作業が主流である。
即ち、特許文献１の特開２００１−３４６４２８号公報記載の刈り払い機では、軟弱な「にら」に円形回転刃を当てても直に倒れて、切断できない。
また、特開２００２−２３８３２４号公報に記載のものも、軟弱な「にら」に円形回転刃２５を当てても直に倒れて、切断できない。
また、特開平９−３０８３５３号公報記載のものは、収穫機であるから、搬送装置を有し、構造が複雑で高価であり、また、捨てるべき葉を搬送装置により回収してしまうので、機体に葉屑が付着してメンテナンスが面倒である。
【課題を解決するための手段】
【０００４】
本発明は、内部にエンジン４の回転を駆動走行車輪６に伝達する伝動機構を内蔵した伝動ケース２に、前記エンジン４および一対の駆動走行車輪６を設け、前記伝動ケース２に取付けたフレーム兼用サイドカバー１６に高さ調節自在の一対の捨て刈り案内輪４６を設け、前記フレーム兼用サイドカバー１６には一対の円形回転刃２５、２６を設け、該一方円形回転刃２５と他方円形回転刃２６は夫々の内側縁が互いに上下に重なるように配置すると共に互いに内側に向けて回転するようにし、前記駆動走行車輪６を略前後の重心位置に配置したにら捨て刈り機としたものである。
本発明は、前記円形回転刃２５および円形回転刃２６は縦の縦伝動ケース２０、縦伝動ケース２１に軸装した回転軸２２、回転軸２３の下部に設け、前記縦伝動ケース２０、縦伝動ケース２１より上方に突出する回転軸２２、回転軸２３に前記エンジン４の回転を伝達するように構成したにら捨て刈り機としたものである。
本発明は、前記円形回転刃２５および円形回転刃２６の上方には、圃場の「にら」を分草して円形回転刃２５および円形回転刃２６まで案内する一対の分草兼案内ガイド３０を設けたにら捨て刈り機としたものである。
【発明の効果】
【０００５】
請求項１の発明では、捨て刈り作業を機械化でき、作業を容易にし、作業効率を向上させる。
請求項２の発明では、切断した葉の絡まりや葉屑の付着を防止して、メンテナンス作業を容易にでき、全体の作業効率を向上させる。
請求項３の発明では、「にら」の切断を確実にする。
【実施例１】
【０００６】
本発明の実施例を図面により説明すると、１は「にら」専用のにら捨て刈り機であり、機体フレームを兼用した伝動ケース２にエンジン取付台３を介してエンジン４を搭載し、伝動ケース２の後部に後方に突出する左右一対の歩行操縦用ハンドル５を設け、伝動ケース２には左右一対の駆動走行車輪６の車軸７を軸装する。
伝動ケース２の上部にはプーリ１０を軸装し、プーリ１０にはエンジン４の出力プーリ１１との間にベルト１２を掛け回す。伝動ケース２内のプーリ１０の回転軸１３と前記車軸７の夫々には図示は省略するが歯車を固定し、上下の歯車にチエンを掛け回して駆動走行車輪６にエンジン４の回転を伝達して、駆動走行する。１４はエンジン４の回転伝達を入り切りするクラッチプーリである。
【０００７】
伝動ケース２の前側には前方に突き出るステー１５を設け、ステー１５の左右両側にはフレーム兼用サイドカバー１６を設け、フレーム兼用サイドカバー１６には左右方向の横杆１７を設け、横杆１７には左右一対の縦伝動ケース２０、２１の上部を固定して吊設する。縦伝動ケース２０および縦伝動ケース２１には回転軸２２、２３を軸装し、縦伝動ケース２０および縦伝動ケース２１より下方に突出する回転軸２２と回転軸２３の下端部には夫々円形回転刃２５、２６を固定する。
一方円形回転刃２５と他方円形回転刃２６は内側縁が互いに上下に重なるように配置し、互いに内側に向けて反対回転させる。
【０００８】
一方円形回転刃２５と他方円形回転刃２６の上方には先端を上向きにした分草兼案内ガイド３０を夫々設ける。分草兼案内ガイド３０はその基部をガイド支持体３１の下部に回動自在に取付け、先端が圃場に接触すると、その反動で上動し、地面より離れると、自重で元の位置に戻るようにガイド支持体３１の下部に取付軸３３により取付ける。
ガイド支持体３１は前記ステー１５に設けた取付部３２に上下自在に取付ける。また、取付部３２に対してガイド支持体３１を回転させると、左右の分草兼案内ガイド３０の間隔を変更できる。
【０００９】
左右の分草兼案内ガイド３０間が「にら」の葉株の通路となり、各分草兼案内ガイド３０の外側に位置する一方円形回転刃２５と他方円形回転刃２６には夫々円形回転刃２５、２６の上面側を包囲する刃カバー４０を設ける。
なお、マルチ４１を施した圃場（ハウス）では、一方円形回転刃２５と他方円形回転刃２６の下方に下側カバー４２を設けると、円形回転刃２５、２６とマルチ４１との接触を防止できて、好適である。
【００１０】
前記左右のフレーム兼用サイドカバー１６の前側部分には、前側支脚部４５、４５を上下位置調節自在に設け、前側支脚部４５の下部には捨て刈り案内輪４６を設ける。
捨て刈り案内輪４６は圃場面に接地して一方円形回転刃２５と他方円形回転刃２６を所定高さに保持してにら捨て刈り機１を走行させる。
【００１１】
しかして、一方円形回転刃２５と他方円形回転刃２６をエンジン４により互いに反対回転させるための回転伝動経路構成は任意であるが、一方円形回転刃２５と他方円形回転刃２６の回転軸２２と回転軸２３にプーリ４８、４９を設け、プーリ４８とプーリ４９の間にベルト５０をねじって交差状に掛け回して互いに逆回転を伝達する。前記回転軸２２と回転軸２３の何れか一方にはプーリ５１を設け、プーリ５１には前記フレーム兼用サイドカバー１６に軸装した中間軸５２に設けたプーリ５３との間にベルト５４を掛け回す。中間軸５２には別にプーリ５５を設け、プーリ５５と前記ステー１５に設けたプーリ５６との間にベルト５７を掛け回す。プーリ５６を軸装した回転軸５８には別のプーリ５９を設け、プーリ５９には前記伝動ケース２の上部に設けた回転軸１３に固定のプーリ６０との間にベルト６１を掛け回す。
【００１２】
しかして、前記伝動ケース２の後面には後側ステー６５を固定し、後側ステー６５には支持部材６６の上端を固定し、支持部材６６の下部には補助輪６７を設け、補助輪６７は駆動走行車輪６より上方に位置させるようにすると、旋回操作や障害物を乗り越えるのが容易になって、好適である。
即ち、通常走行のときは駆動走行車輪６のみにより走行して円形回転刃２５、２６が地面に接地しないようにし、刈取作業中は、駆動走行車輪６に対して捨て刈り案内輪４６を上下させて一方円形回転刃２５と他方円形回転刃２６の高さを調節して作業し、駆動走行車輪６および捨て刈り案内輪４６を接地させて地面に対して一方円形回転刃２５と他方円形回転刃２６を略一定高さにして走行し、大きな段差や障害物があるときは補助輪６７を接地させて駆動走行車輪６を持ち上げて段差や障害物を乗り越える。
この場合、駆動走行車輪６の車軸７部分をにら捨て刈り機１の重心位置となるように構成すると、前後の重量バランスが良好となって、走行が安定する。
【００１３】
次に実施例の作用を述べる。
エンジン４を始動させ、エンジン４により駆動走行車輪６を駆動して機体を前進させると、分草兼案内ガイド３０により圃場に一条ずつ植えてある「にら」を分草し、分草した「にら」を分草兼案内ガイド３０に案内して円形回転刃２５と円形回転刃２６の上方に至り、地面より所定高さ位置にて切断され、「にら」の捨て刈り作業を行う。
【００１４】
この場合、にら捨て刈り機１は歩行操縦用ハンドル５によって操向操作しながらエンジン４により駆動走行するから、「にら」の捨て刈り作業は歩行作業により行え、良好な作業姿勢で捨て刈り作業を行える。
即ち、「にら」は数度の収穫を行うが、最初に収穫する前に、一旦、圃場の全ての「にら」の葉の部分を切断することで、その後に太く良好な葉を出芽させて成育すること、また、「にら」は直に折れ曲がって軟弱でありながら、容易に切断しにくいことから、従前は鎌による手作業で行っており、作業姿勢が悪く、作業効率が低かったが、本願では、歩行作業を可能にし、作業姿勢および作業効率を良好にしている。
【００１５】
また、エンジン４の回転を駆動走行車輪６に伝達する伝動ケース２を機体フレームに兼用し、伝動ケース２にエンジン４を搭載し、歩行操縦用ハンドル５を設けているから、にら捨て刈り機１全体を小型にでき、手作業による捨て刈りを前提とした圃場の「にら」であっても、にら捨て刈り機１による捨て刈り行え、汎用性が非常に高い。
【００１６】
しかして、「にら」は互いに内側に向けて回転する二枚の円形回転刃２５と円形回転刃２６により切断されるので、切断跡が美麗であり、その後の成育を良好にする。
また、円形回転刃２５と円形回転刃２６の高さは、前側支脚部４５をフレーム兼用サイドカバー１６に対して上下させることで調節でき、にら捨て刈り機１は駆動走行車輪６と捨て刈り案内輪４６の４輪で走行するので、安定した状態で捨て刈り作業を行える。
【００１７】
そのため、捨て刈りされた「にら」は略同じ高さに揃うので、その後の成育状態も同じように揃えることができ、品質の高い「にら」を収穫できる。
また、一方円形回転刃２５と他方円形回転刃２６は内側縁が互いに上下に重なるように配置しているから、軟弱な「にら」であっても美麗に切断する。
【００１８】
しかして、前記円形回転刃２５および円形回転刃２６は縦の縦伝動ケース２０、縦伝動ケース２１に軸装した回転軸２２、回転軸２３の下部に設け、前記縦伝動ケース２０、縦伝動ケース２１より上方に突出する回転軸２２、回転軸２３に前記エンジン４の回転を伝達するように構成しているから、伝動機構が捨て刈り作業の邪魔にならない。
【図面の簡単な説明】
【００１９】
【図１】全体側面図。
【図２】一部省略した側面図。
【図３】円形回転刃部分の平面図。
【図４】下側カバーの一例を示す斜視図。
【図５】同作用状態図。
【図６】一部省略した正面図。
【図７】回転伝動機構の一例を示す斜視図。
【符号の説明】
【００２０】
１…にら捨て刈り機、２…伝動ケース、３…エンジン取付台、４…エンジン、５…歩行操縦用ハンドル、６…駆動走行車輪、７…車軸、１０…プーリ、１１…出力プーリ、１２…ベルト、１３…回転軸、１４…クラッチプーリ、１５…ステー、１６…フレーム兼用サイドカバー、１７…横杆、２０…縦伝動ケース、２１…縦伝動ケース、２２…回転軸、２３…回転軸、２５…円形回転刃、２６…円形回転刃、３０…分草兼案内ガイド、３１…ガイド支持体、３２…取付部、３５…調節用固定具、４０…刃カバー、４１…マルチ、４２…下側カバー、４５…前側支脚部、４６…捨て刈り案内輪、４８…プーリ、４９…プーリ、５０…ベルト、５１…プーリ、５２…中間軸、５３…プーリ、５４…ベルト、５５…プーリ、５６…プーリ、５７…ベルト、５８…回転軸、５９…プーリ、６０…プーリ、６１…ベルト、６５…後側ステー、６６…支持部材、６７…補助輪。
【図１】
2005143309.tif 000003
【図２】
2005143309.tif 000004
【図３】
2005143309.tif 000005
【図４】
2005143309.tif 000006
【図５】
2005143309.tif 000007
【図６】
2005143309.tif 000008
【図７】
2005143309.tif 000009